(57)【要約】【課題】可視領域を有した表示部材と、表示部材を支持する支持部材と、支持部材の前面に被さるように設けられ表示部材の可視領域を目視させる開口が形成された表示開口部材とを備えた表示装置において、表示開口部材の開口に対して可視領域を容易に所定位置に配置できるようにする。【解決手段】表示部材としてのダイヤルＡＳＳＹ２は、支持部材としてのケースサブＡＳＳＹ５の前面上の二次元方向に可動できる状態を維持して位置決めされる。ダイヤルＡＳＳＹ２が位置決めされたケースサブＡＳＳＹ５の前面に被さるように、表示開口部材としての見返し板６が設けられる。見返し板６の裏面には、ダイヤルＡＳＳＹ２の一部を構成する加飾透明部材４の外形線に沿った複数箇所にリブが形成される。見返し板６の組付けに伴い、リブと加飾透明部材４の外形線とが接触することでダイヤルＡＳＳＹ２は見返し板６の開口６１との隙間が均一となる所定位置に案内される。【選択図】図２
2018112473.tif 000002
【特許請求の範囲】
【請求項１】
可視領域（３１、４１）を有した表示部材（２）と支持部材（５）とを備え、前記表示部材と前記支持部材とが相対的に二次元方向に可動できる状態を維持して前記表示部材を前記支持部材の前面に位置決めする第１工程と、
前記第１工程後に、前記可視領域を目視させる開口（６１）が形成された表示開口部材（６）を前記前面に被せるように前記支持部材に組み付ける第２工程とを備え、
前記第２工程では、前記開口に対して前記可視領域が所定位置に配置されるように前記前面上を基準として前記表示部材と前記支持部材とを相対的に二次元方向に可動しつつ、前記表示開口部材を前記支持部材に組み付けることを特徴とする表示装置（１）の製造方法。
【請求項２】
前記表示開口部材は、前記表示開口部材を前記支持部材に組み付けるのに伴ない前記表示部材を前記所定位置に案内する案内部（６６、６８）を備えることを特徴とする請求項１に記載の表示装置の製造方法。
【請求項３】
前記案内部（６６）は、前記表示部材の外形線（４５）に沿った複数箇所に設けられ、前記複数箇所で囲まれる領域の内側の方向に突出した突起部であることを特徴とする請求項２に記載の表示装置の製造方法。
【請求項４】
前記突起部の、前記表示開口部材の組付け方向における先端（６６ａ）は、前記領域の内側の方向に傾斜した形状に形成されたことを特徴とする請求項３に記載の表示装置の製造方法。
【請求項５】
前記表示部材は、前記可視領域の意匠を形成する表示板（３）と、その表示板の表面に取り付けられて前記開口の縁部に沿って加飾部（４１）を形成する加飾形成部材（４）とを備えることを特徴とする請求項１〜４のいずれか１項に記載の表示装置の製造方法。
【請求項６】
前記表示部材は、前記可視領域の意匠を形成する表示板（３）と、その表示板の表面に取り付けられて前記開口の縁部に沿って加飾部（４１）を形成する加飾形成部材（４）とを備え、
前記加飾形成部材と前記表示開口部材の一方は、前記表示開口部材の組付け方向に平行に突出した突出部（４４）を有し、他方は前記突出部が挿入される挿入部（６８）を有し、
前記加飾部は、前記表示板の表面から表示方向側に盛り上がるように形成されており、
前記突出部の突出量は、前記加飾部の盛り上がりの量よりも大きく、
前記第２工程では、前記突出部が前記挿入部に挿入し始めることで前記加飾部が前記開口の縁部に接触しないように前記表示部材の位置を補正し、その後に、前記突起部による前記表示部材の位置の補正を行うことを特徴とする請求項３又は４に記載の表示装置の製造方法。
【請求項７】
可視領域（３１、４１）を有した表示部材（２）と、
前記表示部材を背後から支持する支持部材（５）と、
前記支持部材の前記表示部材が設けられる前面に被さるように設けられ、前記可視領域を目視させる開口（６１）が形成された表示開口部材（６）とを備え、
前記表示部材及び前記支持部材はそれぞれ前記表示部材と前記支持部材とが相対的に前記前面上の二次元方向に可動できる状態を維持して前記表示部材を前記前面に位置決めする位置決め部（４３、５２ａ、３５、５２ｃ）を備え、
前記表示開口部材は、前記表示部材の外形線（４５）に沿った複数箇所に、前記開口に対して前記可視領域が所定位置に配置されるように前記表示部材を案内する案内部（６６）を備えることを特徴とする表示装置（１）。
【請求項８】
前記案内部は、前記複数箇所で囲まれる領域の内側の方向に突出した突起部であることを特徴とする請求項７に記載の表示装置。
【請求項９】
前記突起部の、前記表示開口部材の組付け方向における先端（６６ａ）は、前記領域の内側の方向に傾斜した形状に形成されたことを特徴とする請求項８に記載の表示装置。
【請求項１０】
前記表示部材は、前記可視領域の意匠を形成する表示板（３）と、その表示板の表面に取り付けられて前記開口の縁部に沿って加飾部（４１）を形成する加飾形成部材（４）とを備え、
前記案内部は、前記加飾形成部材の外形線に沿った複数箇所に設けられることを特徴とする請求項７〜９のいずれか１項に記載の表示装置。
【請求項１１】
前記加飾形成部材と前記表示開口部材の一方は、前記表示部材の表示方向に平行に突出した突出部（４４）を有し、他方は前記突出部が挿入される挿入部（６８）を有し、
前記加飾部は、前記表示板の表面から表示方向側に盛り上がるように形成されており、
前記突出部の突出量は、前記加飾部の盛り上がりの量よりも大きいことを特徴とする請求項１０に記載の表示装置。
【発明の詳細な説明】
【技術分野】
【０００１】
本発明は表示装置及びその製造方法に関する。
【背景技術】
【０００２】
従来、可視領域を有した表示部材と、その表示部材を背後から支持する支持部材と、その支持部材の前面に被さるように設けられ表示部材の可視領域を目視させる開口が形成された表示開口部材とを備えた表示装置が知られている（例えば特許文献１参照）。特許文献１では、表示開口部材としての見返し部材には、第１の突部及び第２の突部が設けられ、表示部材としての表示板と、支持部材としてのケースにはそれぞれ、第１の突部、第２の突部に対応した位置に孔部が設けられている。表示板の孔部のうち第２の突部が挿入される孔部は、見返し部材と表示板との位置を定めるものではなく、第２の突部より径大となっている。ケースの孔部のうち第１の突部が挿入される孔部は、見返し部材とケースとの位置を定めるものではなく、第１の突部より径大となっている。
【０００３】
このように、特許文献１には、第１の突部により見返し板と表示板との位置決めを行い、第２の突部により見返し板とケースとの位置決めを行う計器が開示されている。これによれば、全ての位置決め箇所において、見返し部材、表示板、ケースを位置決めしようとすると、何れかの部品に寸法バラツキが有った際に位置決めできないということが発生する可能性があるが、位置決め部品を少なくすることで各部品の位置決めを確実で容易にしている。
【先行技術文献】
【特許文献】
【０００４】
【特許文献１】特開２００９−２６４８７０号公報
【発明の概要】
【発明が解決しようとする課題】
【０００５】
ところで、部品の寸法バラツキにより、表示開口部材の開口に対して表示部材の可視領域のズレが生じた場合には、この可視領域が所定位置に配置されるように各部品の型などを調整する必要があるが、従来ではこの調整が簡単ではないという問題があった。
【０００６】
本発明は上記問題に鑑みてなされたものであり、表示開口部材の開口に対して表示部材の可視領域を容易に所定位置に配置させることができる表示装置の製造方法及び表示装置を提供することを課題とする。
【課題を解決するための手段】
【０００７】
上記課題を解決するために、本発明の表示装置（１）の製造方法は、
可視領域（３１、４１）を有した表示部材（２）と支持部材（５）とを備え、前記表示部材と前記支持部材とが相対的に二次元方向に可動できる状態を維持して前記表示部材を前記支持部材の前面に位置決めする第１工程と、
前記第１工程後に、前記可視領域を目視させる開口（６１）が形成された表示開口部材（６）を前記前面に被せるように前記支持部材に組み付ける第２工程とを備え、
前記第２工程では、前記開口に対して前記可視領域が所定位置に配置されるように前記前面上を基準として前記表示部材と前記支持部材とを相対的に二次元方向に可動しつつ、前記表示開口部材を前記支持部材に組み付けることを特徴とする。
【０００８】
本発明によれば、表示部材と支持部材とが相対的に二次元方向に可動できる状態を維持して表示部材を支持部材に位置決めし、表示開口部材を支持部材に組み付けるに伴い、可視領域が所定位置に配置されるように表示部材と支持部材とを相対的に二次元方向に動かすので、その二次元方向に可動できることにより各部品の寸法バラツキを吸収できる。これによって、表示開口部材の開口に対して表示部材の可視領域を容易に所定位置に配置させることができる。
【０００９】
本発明の表示装置（１）は、
可視領域（３１、４１）を有した表示部材（２）と、
前記表示部材を背後から支持する支持部材（５）と、
前記支持部材の前記表示部材が設けられる前面に被さるように設けられ、前記可視領域を目視させる開口（６１）が形成された表示開口部材（６）とを備え、
前記表示部材及び前記支持部材はそれぞれ前記表示部材と前記支持部材とが相対的に前記前面上の二次元方向に可動できる状態を維持して前記表示部材を前記前面に位置決めする位置決め部（４３、５２ａ、３５、５２ｃ）を備え、
前記表示開口部材は、前記表示部材の外形線（４５）に沿った複数箇所に、前記開口に対して前記可視領域が所定位置に配置されるように前記表示部材を案内する案内部（６６）を備えることを特徴とする。
【００１０】
本発明によれば、表示部材は、支持部材の前面上の二次元方向に可動できる状態を維持して位置決めされるので、この二次元方向に可動できることにより各部品の寸法バラツキを吸収できる。また、表示開口部材には、表示部材の外形線に沿った複数箇所に、可視領域を所定位置に配置させる案内部が設けられるので、表示開口部材の開口に対して表示部材の可視領域を容易に所定位置に配置させることができる。
【図面の簡単な説明】
【００１１】
【図１】メータの正面図である。
【図２】メータの分解斜視図である。
【図３】ダイヤルＡＳＳＹを各方向から見た図であり、詳しくは、（ａ）ダイヤルＡＳＳＹを前面側から見た平面図、（ｂ）ダイヤルＡＳＳＹを右側から見た側面図、（ｃ）ダイヤルＡＳＳＹを裏面側から見た平面図、（ｄ）ダイヤルＡＳＳＹを下側から見た側面図である。
【図４】ケースサブＡＳＳＹと、それに位置決めされたダイヤルＡＳＳＹとの正面図である。
【図５】図４のＶ−Ｖ線断面図である。
【図６】図４のＶＩ−ＶＩ線断面図である。
【図７】図４のＶＩＩ−ＶＩＩ線断面図である。
【図８】見返し板の裏面における開口の周辺部を示した図である。
【図９】見返し板及びダイヤルＡＳＳＹを、見返し板の裏面側から見た図である。
【図１０】見返し板に形成されたリブの拡大図であり、詳しくは（ａ）図８のＡ部の拡大図であってリブをケースサブＡＳＳＹ側から見た図と、（ｂ）リブを側方から見た図である。
【図１１】図８のＢ部の拡大図である。
【図１２】加飾透明部材に形成された突出部の拡大図であり、（ａ）突出部を一方の側面側から見た図、（ｂ）突出部を他方の側面側から見た図である。
【図１３】ダイヤルＡＳＳＹが位置決めされたケースサブＡＳＳＹと、そのケースサブＡＳＳＹに組み付けられる前の見返し板とを示した斜視図である。
【図１４】ケースサブＡＳＳＹの斜視図である。
【図１５】見返し板を裏面側から見た斜視図である。
【発明を実施するための形態】
【００１２】
以下、本発明の実施形態を図面を参照しながら説明する。図１に示すメータ１は、車両の運転席前方に設けられたインストルメントパネルにおいて運転席の方に向けられて配置される車両用メータである。メータ１は、複数の車両情報（車速、エンジン回転数など）を同時に表示可能なコンビネーションメータとして構成されている。詳しくは、メータ１は、その正面に、２つの指針メータ１０が左右に並ぶように配置された２眼式メータとして構成されている。一方の指針メータ１０は例えば車速を表示する車速メータとして構成され、他方の指針メータ１０は例えばエンジン回転数を表示する回転数メータとして構成されている。なお、各指針メータ１０は、車速、エンジン回転数等の主表示の他に、残燃料量やエンジン冷却水温等の副表示を行う表示領域を有している。この副表示の表示領域は、指針メータ１０の円形表示領域のうちの下側に設定されている。
【００１３】
各指針メータ１０は、見返し板６に形成された円形の開口６１に配置されており、指針メータ１０の表示意匠を形成する円形の表示面３１と、開口６１の縁部に沿ってリング状に設けられる透明なリング部４１と、表示面３１の表面に沿って回転可能に設けられる指針７とを備えている。表示面３１には、表示意匠としてメータ１０の表示対象となる車両情報（車速、エンジン回転数など）の値を示した目盛、数値から構成された指標部が形成されている。その指標部は、表示面３１の外周に沿って円弧状に配置されている。
【００１４】
リング部４１は、表示面３１に形成された指標部の上に配置されている。指標部は、透明なリング部４１を介して目視可能となっている。また、リング部４１は、指標部を加飾する役割を持っており、照明可能となっている。
【００１５】
なお、２つの指針メータ１０の間の領域には、液晶ディスプレイ、有機ＥＬディスプレイなどの画像表示器１１が配置されている。この画像表示器１１には、例えば指針メータ１０で表示が行われない車両情報（例えば走行距離など）が表示される。なお、メータ１が本発明の表示装置に相当する。
【００１６】
以下、メータ１の構成の詳細を説明する。図２に示すように、メータ１は、ケースサブＡＳＳＹ５と、ダイヤルＡＳＳＹ２と、見返し板６と、指針７と、前面カバー８とを備えている。なお、図２には画像表示器１１の図示を省略している。
【００１７】
ケースサブＡＳＳＹ５は、メータ１の背面を構成する部材である。ケースサブＡＳＳＹ５は、複数の部材から構成されており、具体的にはロアケース５１、アッパーケース５２、基板（図示外）、プリズム５３及び調光部材５４を備えている。なお、ケースサブＡＳＳＹ５が本発明の支持部材に相当する。
【００１８】
ロアケース５１は、ケースサブＡＳＳＹ５の最も背後側に位置して、ケースサブＡＳＳＹ５を構成する各部品を支持する役割を持った部材である。ロアケース５１は、ＰＰ（ポリプロピレン）樹脂、ＡＢＳ樹脂等の遮光性を有する樹脂により形成されている。
【００１９】
アッパーケース５２は、ケースサブＡＳＳＹ５の前面部を構成する部材であり、ロアケース５１の上に被さるようにしてロアケース５１に爪嵌合等により取り付けられている。アッパーケース５２は、ＰＰ（ポリプロピレン）樹脂、ＡＢＳ樹脂等の遮光性を有する樹脂により形成されている。ロアケース５１及びアッパーケース５２の内部には収容空間が形成されている。また、アッパーケースは、プリズム５３、調光部材５４及びダイヤルＡＳＳＹ２を載せるための前面を有している。アッパーケース５２は、プリズム５３、調光部材５４及びダイヤルＡＳＳＹ２を支持する役割を持っている。この役割に加えて、アッパーケース５２は、基板に実装された光源（図示外）からの光を外部に漏れないようにするリフレクタとしての役割も持っている。また、アッパーケース５２には、図１の画像表示器１１を配置するための開口５５が形成されている。さらに、アッパーケース５２には、アッパーケース５２の前面から若干突出するように凸部５６が形成されている。この凸部５６には、指針７の回転軸を通すための孔が形成されている。
【００２０】
基板は、ロアケース５１及びアッパーケース５２にて形成される収容空間においてロアケース５１に位置決めピンなどにより位置決めされたうえで、ロアケース５１とアッパーケース５２に挟み込まれるように設けられている。基板には、指針７を駆動するステッパモータ、ダイヤルＡＳＳＹ２に光を供給する光源としてのＬＥＤ、メータ１の動作（ステッパモータやＬＥＤなど）を制御する制御部などが実装されている。
【００２１】
プリズム５３は、アクリルなどの導光体（透明樹脂）で形成されており、基板に実装されたＬＥＤからの光が入射されて、その光をダイヤルＡＳＳＹ２の照明部（具体的には指標部及びリング部４１）まで導く役割を持った部材である。このプリズム５３は、アッパーケース５２の前面において、ダイヤルＡＳＳＹ２の照明部を背後から覆うように設けられている。プリズム５３は、アッパーケース５２に形成された凸部５６の周りを囲む形状かつ平板状に形成されている。プリズム５３は、アッパーケース５２に爪嵌合などによって固定されている。
【００２２】
調光部材５４は、プリズム５３の、基板に実装されたＬＥＤの光が入射する部位（ＬＥＤの直上位置）に重なるように設けられて、その光の入射部位における光の強度を調整する部材である。詳しくは、調光部材５４は、レンズと、そのレンズの表面に光の強度を落とすための遮光性の網点が印刷された層とから構成されている。このように、調光部材５４は、ダイヤルＡＳＳＹ２の照明部の部位間で光が均一となるように、ＬＥＤの直上位置における光を減光する。調光部材５４は、プリズム５３に例えば熱溶着により固定されている。
【００２３】
ダイヤルＡＳＳＹ２は、指針メータ１０の表示部を構成する部材であり、アッパーケース５２の前面と、見返し板６との間に挟み込まれるように設けられている。ダイヤルＡＳＳＹ２は、文字板３と加飾透明部材４とを備えている。
【００２４】
文字板３は、ポリカーボネート等の透明樹脂にて形成された基材と、その基材の表面又は裏面に遮光性の材料で印刷された遮光印刷層とを有した板である。文字板３は、指針メータ１０の表示意匠が形成された、円形の外枠３１ａを有した表示面３１と、その表示面３１の周りを囲むように設けられる外周部３２とを備えている。表示面３１は、見返し板６の開口６１に配置される可視領域となる部分であり、上記したように円弧状に配置された指標部を有する。この指標部は、照明可能な照明部を構成している。文字板３のうち指標部等の照明部を形成する部分には遮光印刷層が形成されていない。
【００２５】
文字板３の外周部３２は、見返し板６の開口６１の外側に設けられ、不可視領域となる部分である。つまり、外周部３２は、見返し板６の開口６１の周りの部分の背後に設けられる。
【００２６】
また、文字板３には、表示面３１の中央に、指針７の回転軸を通すための孔３４（図２、図３参照）が形成されている。この孔３４は、アッパーケース５２に形成された凸部５６（図２参照）よりも大きい径に形成されている。なお、文字板３は、指標部などの一部が表示方向側に若干盛り上がった圧空文字板である。
【００２７】
加飾透明部材４は、アクリル等の導光体（透明樹脂）で形成され、上記のリング部４１と、そのリング部４１の周りに設けられる外周部４２とを備えている。リング部４１は、開口６１内において開口６１の縁部に沿って設けられ、可視領域となる部分である。リング部４１は、外周部４２に対して表示方向側に盛り上がった形状に形成されている。外周部４２は、開口６１の外側、つまり見返し板６の開口６１の周りの部分の背後に設けられ、不可視領域となる部分である。図３（ａ）に示すように、外周部４２の外形線４５のうち一部は、文字板３の外形線３６の一部とほぼ重複した位置にあり、外形線４５の残余部は文字板３の外形線３６より内側（つまり文字板３の外周部３２内）に位置している。
【００２８】
加飾透明部材４は、文字板３の上に積層されるように設けられる。詳しくは、図３に示すように、加飾透明部材４の裏面（文字板３の方に向いた面）には、文字板３の方向に突出した形状のピン４３が加飾透明部材４と一体的に形成されている。ピン４３は、外周部４２の、リング部４１の中心に対してほぼ点対称となる２箇所に形成されている。一方、文字板３には、ピン４３に対応した位置に孔３３（図５、図６参照）が形成されている。この孔３３はピン４３の径以下の径に形成されている。そして、ピン４３が孔３３に圧入されている。このように、加飾透明部材４は、文字板３に対してガタが無い状態で設けられる。
【００２９】
なお、ダイヤルＡＳＳＹ２は、指針メータ１０毎に設けられている。つまり、一方の指針メータ１０に設けられるダイヤルＡＳＳＹ２と、他方の指針メータ１０に設けられるダイヤルＡＳＳＹ２とは互いに別体となっている。
【００３０】
なお、ダイヤルＡＳＳＹ２が本発明の表示部材に相当する。また、文字板３が本発明の表示板に相当する。加飾透明部材４が本発明の加飾形成部材に相当する、リング部４１が本発明の加飾部に相当する。文字板３の表示面３１及びリング部４１が本発明の可視領域に相当する。
【００３１】
ダイヤルＡＳＳＹ２は、ケースサブＡＳＳＹ５の前面（より具体的にプリズム５３及び調光部材５４）の上に積層されるように設けられる。詳しくは、図５に示すように、アッパーケース５２の前面の、加飾透明部材４に形成された一方のピン４３に対応した位置には、そのピン４３が挿入される孔５２ａが形成されている。この孔５２ａはピン４３よりも大きい径に設定されており、具体的には例えばピン４３の径が３．０ｍｍ、孔５２ａの径が５．０ｍｍに設定されている。この場合、ピン４３が孔５２ａの中心に位置しているときにおけるピン４３と孔５２ａの壁面との隙間ｄ１は１．０ｍｍとなる。
【００３２】
また、図６に示すように、アッパーケース５２の前面の、加飾透明部材４に形成された他方のピン４３に対応した位置には空洞部５２ｂが形成されている。他方のピン４３はこの空洞部５２ｂに挿入されている。空洞部５２ｂは、後述する組み付けの際に、ダイヤルＡＳＳＹ２がケースサブＡＳＳＹ５の前面上の二次元方向に動いたとしても、ピン４３と空洞部５２ｂの壁面とが接触することがないよう、ピン４３の径に対して十分大きい空間に設定されている。したがって、これらピン４３、空洞部５２ｂは、ケースサブＡＳＳＹ５に対するダイヤルＡＳＳＹ２の位置決め機能を有していない。なお、空洞部５２ｂに代えて、図５のように、ピン４３と接触し得る孔としても良い。
【００３３】
さらに、図７に示すように、アッパーケース５２の前面には、表示方向側（目視者側）に突出したピン５２ｃが形成されている。一方、文字板３の外周部３２の、ピン５２ｃに対応した位置には、このピン５２ｃが挿入される孔３５が形成されている。孔３５は、ピン５２ｃよりも大きい径に設定されており、具体的には例えばピン５２ｃの径が３ｍｍ、孔３５の径が４ｍｍに設定されている。この場合、ピン５２ｃが孔３５の中心に位置しているときにおけるピン５２ｃと孔３５の壁面との隙間ｄ２は０．５ｍｍとなる。
【００３４】
また、アッパーケース５２に形成された、指針７の回転軸を通すための孔を有した凸部５６（図２参照）が、文字板３の中央に形成された孔３４（図２、図３参照）に嵌まっている。上記したように、孔３４は凸部５６よりも大きい径に形成されているので、孔３４と凸部５６との間には隙間を有している。
【００３５】
このように、ダイヤルＡＳＳＹ２は、ケースサブＡＳＳＹ５（アッパーケース５２）に対しては、全ての位置決め箇所、具体的には図５、図７に示す２箇所（孔３４と凸部５６の嵌合箇所も含めると３箇所）で、図５、図７に示す隙間ｄ１、ｄ２で定まるガタを有した状態で位置決めされている。言い換えると、ダイヤルＡＳＳＹ２は、ケースサブＡＳＳＹ５の前面上の二次元方向に隙間ｄ１、ｄ２で定まるガタ分だけ移動可能に位置決めされている。このガタは、見返し板６を取り外したときに、リング部４１の位置が所定位置（具体的にはリング部４１の各部と、見返し板６の開口６１の縁部との隙間が、リング部４１の各部間で均一となる位置）から外れてしまう程度に大きい値に設定されている。
【００３６】
なお、ピン４３、孔５２ａ、孔３５及びピン５２ｃが本発明の位置決め部に相当する。
【００３７】
図２に戻り、見返し板６は、ダイヤルＡＳＳＹ２が位置決めされたケースサブＡＳＳＹ５の前面（アッパーケース５２の前面）に被さるように設けられている。つまり、見返し板６は、ケースサブＡＳＳＹ５よりも目視者側に配置されている。図１３に示すように、見返し板６には複数箇所に爪部６０１が形成され、ケースサブＡＳＳＹ５のロアケース５１には、爪部６０１と嵌合する嵌合部５７が形成されている。なお、見返し板６が本発明の表示開口部材に相当する。
【００３８】
また、見返し板６及びケースサブＡＳＳＹ５には、ケースサブＡＳＳＹ５に対して見返し板６を位置決めする位置決め部が設けられている。詳しくは、図１４に示すように、ケースサブＡＳＳＹ５の前面の外周部には、表示方向側に突出したピン５８が設けられている。ピン５８は、ケースサブＡＳＳＹ５の前面の外周部の左側、右側及び上側の計３箇所に設けられている。一方、図１５に示すように、見返し板６の裏面６５の外周部の、ピン５８に対応した位置には、ピン５８が嵌まる溝６９が形成されている。見返し板６は、３箇所の位置決め部５８、６９によってほぼガタがない状態で位置決めされたうえで、爪部６０１及び嵌合部５７による爪嵌合により、ケースサブＡＳＳＹ５に取り付けられている。なお、見返し板６は、ＰＰ（ポリプロピレン）樹脂、ＡＢＳ樹脂等の遮光性を有する樹脂により形成されている。
【００３９】
図２に示すように、見返し板６には、ダイヤルＡＳＳＹ２における可視領域（文字板３の表示面３１及びリング部４１）を目視させる開口６１が形成されている。開口６１は、ダイヤルＡＳＳＹ２毎に設けられている。つまり、見返し板６には、左右に並ぶように２箇所に開口６１が形成されている。また、見返し板６には、画像表示器１１（図１参照）が配置される開口６４も形成されている。開口６４は、２つの開口６１の間に設けられている。
【００４０】
見返し板６は、これら開口６１、６４の周りに、目視者側に向いた正面部６２を備えている。さらに、見返し板６は、正面部６２の外周から目視者側に張り出すように周壁部６３を備えている。周壁部６３によって、開口６１、６４内に外光が入ってしまうのを抑制して、指針メータ１０や画像表示器１１の視認性が低下してしまうのを抑制している。
【００４１】
さらに、リング部４１の各部と見返し板６の開口６１の縁部との隙間が、リング部４１の各部間で均一となる、ダイヤルＡＳＳＹ２の配置位置を所定位置として、見返し板６はダイヤルＡＳＳＹ２を所定位置に案内する案内部を備えている。案内部は、言い換えると、ダイヤルＡＳＳＹ２を所定位置に留まらせ、所定位置から移動するのを規制する規制部又は位置決め部である。
【００４２】
詳しくは、図８、図９、図１０に示すように、見返し板６の裏面６５（図２の正面部６２の裏面）には、加飾透明部材４の外周部４２の外形線４５に沿った複数箇所（図８、図９の例では７箇所）に、案内部としての突起部（リブ）６６が形成されている。これら複数のリブ６６は、開口６１の周りの一部のみに集中しないように、開口６１の周りに適度に分散して設けられている。具体的には例えば図８に示すように、開口６１を、中心角１２０°となる線１００で３つの領域に分けたときに、各領域に少なくとも１つのリブ６６が設けられる。また、開口６１の縁部を面内に含む平面内における方向のうち、車両の左右方向に平行な方向を見返し左右方向、その見返し左右方向に直角な方向を見返し上下方向としたとき、図８に示すように、例えば開口６１の中心を通り、見返し左右方向に伸びた直線２０１で開口６１を上下に２つの領域に分けたときに、一方の領域側の裏面６５と、他方の領域側の裏面６５のそれぞれにリブ６６が設けられている。また、開口６１の中心を通り、見返し上下方向に伸びた直線２０２で開口６１を左右に２つの領域に分けたときに、一方の領域側の裏面６５と、他方の領域側の裏面６５のそれぞれにリブ６６が設けられている。このように、リブ６６は、開口６１の中心から見て上下左右のそれぞれの領域に設けられている。
【００４３】
リブ６６についてさらに詳しく説明すると、図８、図１０に示すように、見返し板６の裏面６５には、背後側（ケースサブＡＳＳＹ５側）に起立する壁部６７が設けられている。壁部６７は、開口６１の周りを囲むように設けられるとともに、開口６１の方に向いた面６７ａを有している。リブ６６は、この面６７ａから、開口６１の方向に突出した形状に形成されている。これらリブ６６で囲まれた領域に加飾透明部材４が設けられる。このとき、加飾透明部材４の配置位置が所定位置となるように、リブ６６の突出量が設定されている。また、リブ６６の突出量は、加飾透明部材４の外形線４５と接触し、又はその外形線４５との間で寸法公差分のギャップ（最小ギャップ）が形成されるように設定される。加飾透明部材４が最小ギャップの範囲で微小移動したとしても、所定位置から外れないようになっている。
【００４４】
また、図１０（ｂ）に示すように、リブ６６は、裏面６５から、背後方向（ケースサブＡＳＳＹ５側）に突出するように設けられている。リブ６６の、背後方向（見返し板６の組付け方向でもある）における先端６６ａは、開口６１側に傾斜した形状に形成されている。すなわち、先端６６ａは、面６７ａから開口６１側に離れるにしたがって次第に裏面６５に近づいていく形状に形成されている。
【００４５】
ダイヤルＡＳＳＹ２は、加速透明部材４が複数のリブ６６によりリング部４１の径方向の外側から挟み込まれるように配置されることで、その径方向における移動が規制されている。また、ダイヤルＡＳＳＹ２は、前後方向に関しては、ダイヤルＡＳＳＹ２の外周部３２、４２が、ケースサブＡＳＳＹ５の前面と、見返し板６の裏面６５との間で挟み込まれるように配置されることで、前後方向における移動が規制されている。なお、リブ６６が本発明の案内部及び突起部に相当する。
【００４６】
さらに、見返し板６には、リブ６６の他に、ダイヤルＡＳＳＹ２を所定位置に案内する案内部（言い換えると、規制部、位置決め部）として機能する挿入孔６８（図８、図１１参照）が設けられている。挿入孔６８は、図８に示すように、見返し板６の裏面６５において開口６１に隣接した位置に形成されている。また、挿入孔６８は、１つの開口６１当たり１箇所のみに形成されている。つまり、見返し板６には２つの開口６１が形成されているので、見返し板６全体としては２箇所に挿入孔６８が形成されている。
【００４７】
挿入孔６８は、図１１に示すように、開口６１の接線方向に幅Ｐ、その幅Ｐに直角方向に幅Ｑを有した略四角形の外縁を有している。挿入孔６８は、幅Ｐの方向における中間に２つの壁部６８ｂ、６８ｃを有する。一方の壁部６８ｂは、幅Ｑの方向における、開口６１側の端部から、挿入孔６８の中心の方に突出するように設けられる。他方の壁部６８ｃは、幅Ｑの方向における開口６１と反対側の端部から、挿入孔６８の中心の方に突出するように設けられる。そして、壁部６８ｂ、６８ｃの間には隙間６８ｄが形成されている。このように、壁部６８ｂ、６８ｃは、挿入孔６８の内部において、隙間６８ｄを介して互いに対向するように設けられる。隙間６８ｄは、挿入孔６８の深さ方向の深い位置にいくほど次第に小さくなるテーパー形状に形成されている。したがって、挿入孔６８の入口における隙間６８ｄの幅Ｎは、挿入孔６８の奥部における隙間６８ｄの幅Ｍ（後述の突出部４４（図１２参照）の先端が位置する隙間幅）よりも大きい。
【００４８】
このように、挿入孔６８は、開口６１の接線方向に幅Ｐ、その直角方向に幅Ｎの入口を有し、その入口から深い位置になるほど、その直角方向における幅が小さくなっていく孔である。なお、挿入孔６８が本発明の案内部及び挿入部に相当する。
【００４９】
一方、図３、図１２に示すように、加飾透明部材４の外周部４２の挿入孔６８に対応する位置には、表示方向側（目視者側、見返し板６側）に突出した突出部４４が形成されている。この突出部４４が挿入孔６８に挿入されている。突出部４４は、図１２（ｂ）に示すように、挿入孔６８の幅Ｐ（図１１参照）に対応した方向に幅ａを有する。一方、図１２（ａ）に示すように、突出部４４の、挿入孔６８の隙間６８ｄ（図１１参照）に対応した方向（図１２（ｂ）の紙面に直角な方向）における幅は、先端にいくほど次第に幅が小さくなるテーパー形状に形成されている。図１２（ａ）の幅において、根本の幅ｂは、先端の幅ｃよりも大きい。
【００５０】
突出部４４は、挿入孔６８内において２つの壁部６８ｂ、６８ｃの間６８ｄに挟み込まれ、可能な限りガタがない状態で設けられている。具体的には、図１２（ｂ）に示す突出部４４の幅ａは、対応する挿入孔６８の幅Ｐより若干小さい値に設定されており、具体的に例えば挿入孔６８の幅Ｐより０．１ｍｍ小さい値に設定されている。図１２（ａ）に示す突出部４４の根本の幅ｂは、対応する挿入孔６８の幅Ｎよりも若干小さい値に設定されており、具体的には例えば幅Ｎより０．１ｍｍ小さい値に設定されている。また、図１２（ａ）に示す突出部４４の先端の幅ｃは、対応する挿入孔６８の幅Ｍよりも若干小さい値に設定されており、具体的には例えば幅Ｍより０．１ｍｍ小さい値に設定されている。このように、突出部４４は、挿入孔６８に挿入されることで、ダイヤルＡＳＳＹ２を所定位置に位置決めする位置決め部として機能する。
【００５１】
また、突出部４４の突出量は加飾透明部材４の各部の中で最大となっている。つまり、突出部４４の突出量は、リング部４１の盛り上がり量よりも大きい。
【００５２】
図２に戻り、指針７は、見返し板６の開口６１において、ダイヤルＡＳＳＹ２の中心孔３４に設けられる回転軸に指針７の基部が接続され、指針７の先端がダイヤルＡＳＳＹ２に形成された指標部の方を向くように設けられる。
【００５３】
前面カバー８は、アクリル、ポリカーボネート等の透明樹脂で形成され、見返し板６の周壁部６３で囲まれる領域を目視者側から覆うように設けられる。前面カバー８は、周壁部６３の先端部に爪嵌合により取り付けられている。車両のドライバー（目視者）は、前面カバー８を通して、各指針メータ１０や画像表示器１１の表示を目視できる。
【００５４】
次に、メータ１の組付け方法を説明する。先ず、ロアケース５１、基板、画像表示器１１、アッパーケース５２、プリズム５３及び調光部材５４を相互に組み付けして、ケースサブＡＳＳＹ５とする。このとき、ロアケース５１に対して、基板、画像表示器１１、アッパーケース５２、プリズム５３、調光部材５４の順に組み付けを行う。
【００５５】
また、文字板３及び加飾透明部材４を相互に組み付けして、ダイヤルＡＳＳＹ２とする。具体的には、加飾透明部材４のピン４３（図３参照）を、文字板３の孔３３（図５、図６参照）に圧入することで、文字板３に対して加飾透明部材４をガタが無い状態で設ける。
【００５６】
次に、図４に示すように、ケースサブＡＳＳＹ５の前面にダイヤルＡＳＳＹ２を位置決めする。具体的には、図５、図６に示すように、ダイヤルＡＳＳＹ２（加飾透明部材４）の一方のピン４３をケースサブＡＳＳＹ５（アッパーケース５２）の孔５２ａに挿入し、他方のピン４３をケースサブＡＳＳＹ５の空洞部５２ｂに挿入する。また、図７に示すように、ダイヤルＡＳＳＹ２（文字板３）の孔３５に、ケースサブＡＳＳＹ５（アッパーケース５２）のピン５２ｃを挿入する。また、ダイヤルＡＳＳＹ２の中心孔３４（図２、図３参照）に、ケースサブＡＳＳＹ５の凸部５６（図２参照）を挿入する。なお、左右２つのダイヤルＡＳＳＹ２の両方をケースサブＡＳＳＹ５の前面に位置決めする。このようにして、ダイヤルＡＳＳＹ２は、ケースサブＡＳＳＹ５の前面の面内方向（二次元方向）に可動できる状態を維持して、つまり前面の面内方向にガタを有した状態で位置決めされる。なお、この工程が本発明の第１工程に相当する。
【００５７】
次に、図１３に示すように、ダイヤルＡＳＳＹ２が位置決めされたケースサブＡＳＳＹ５に対して見返し板６を組み付ける。このとき、見返し板６の裏面６５に形成された溝６９（図１５参照）に、ケースサブＡＳＳＹ５のピン５８（図１４参照）が嵌まるように、ケースサブＡＳＳＹ５に対して見返し板６の組付けを行う。なお、この工程が本発明の第２工程に相当する。
【００５８】
また、この組み付けの過程で、ダイヤルＡＳＳＹ２の配置位置の所定位置への補正が自動的に行われる。具体的には、図１２に示すダイヤルＡＳＳＹ２の突出部４４の突出量が、ダイヤルＡＳＳＹ２の中で最大に設定されているので、リング部４１が見返し板６の開口６１の位置にくる前に、突出部４４が、図１１に示す挿入孔６８に挿入し始める。このとき、突出部４４は図１２（ａ）に示すようにテーパー状に形成されているので、突出部４４を容易に挿入孔６８に挿入させることができる。突出部４４が挿入孔６８に挿入されることで、開口６１に対してダイヤルＡＳＳＹ２の配置位置が大きくずれてしまのを抑制できる。これにより、例えば組み付けの際にリング部４１の上に開口６１の縁部が乗ってしまうのを抑制でき、リング部４１が見返し板６に接触することによる破損を抑制できる。
【００５９】
突出部４４及び挿入孔６８によって、ダイヤルＡＳＳＹ２の配置位置の第１補正が行われた後に、リブ６６による第２補正が行われる。具体的には、ダイヤルＡＳＳＹ２の位置が所定位置からずれていた場合には、加飾透明部材４の外形線４５を形成する部分がリブ６６の先端６６ａ（図１０（ｂ）参照）に接触する。このとき、先端６６ａは、開口６１側に傾斜した形状に形成されているので、見返し板６の、ケースサブＡＳＳＹ５側への押し込みに伴い、ダイヤルＡＳＳＹ２を、先端６６ａの傾斜に沿って開口６１側に自動的に移動させることができる。さらに、リブ６６は、加飾透明部材４の外形線４５（図９参照）に沿って複数箇所に設けられているので、ダイヤルＡＳＳＹ２がどの方向にずれていたとしても、ずれを減少させる方向（開口６１側の方向）にダイヤルＡＳＳＹ２の位置を補正できる。
【００６０】
そして、ケースサブＡＳＳＹ５に対して見返し板６の組付けが完了したときには、加飾透明部材４の外形線４５が、複数のリブ６６で囲まれた領域内に収まる。つまり、ダイヤルＡＳＳＹ２は、複数のリブ６６でリング部４１の周りが挟み込まれるように設けられる。このとき、ダイヤルＡＳＳＹ２はリブ６６に対してほぼガタつきの無い状態（例えば外形線４５とリブ６６との平均隙間が０．５ｍｍの状態）で配置される。これにより、開口６１の縁部とリング部４１との隙間が、リング部４１の各部間で均一となる所定位置に、ダイヤルＡＳＳＹ２が位置する。
【００６１】
最終的に、図１３に示す見返し板６の爪部６０１とケースサブＡＳＳＹ５の嵌合部５７とが嵌合することで、見返し板６の組付けが完了する。このとき、ダイヤルＡＳＳＹ２は、リブ６６と、突出部４４（図１２参照）及び挿入孔６８（図１１参照）の嵌合とによって、リング部４１の径方向及びリング部４１の中心周りの回転方向の位置ずれが規制される。また、挿入孔６８は、突出部４４のテーパー形状に合わせたテーパー形状に形成されているので、挿入孔６８に挿入された突出部４４のガタつきを抑制でき、ひいてはダイヤルＡＳＳＹ２のガタつきを抑制できる。
【００６２】
その後、指針７を組み付ける。なお、指針７の組付けは、見返し板６の組付け後であっても良いし、見返し板６の組付け前であっても良い。その後、前面カバー８を組み付ける。以上の各工程を経て、メータ１が完成する。このように、ケースサブＡＳＳＹ５→ダイヤルＡＳＳＹ２→見返し板６→前面カバー８の順に図２に示す一方向Ｐに組み付けを行う。
【００６３】
このように、本実施形態では、ダイヤルＡＳＳＹ２をケースサブＡＳＳＹ５の前面上の二次元方向に可動できる状態を維持して位置決めし、見返し板６の組付けの際にダイヤルＡＳＳＹ２の位置を、ケースサブＡＳＳＹ５の前面上の二次元方向に微調整するようにしたので、ケースサブＡＳＳＹ５、ダイヤルＡＳＳＹ２等の部品の寸法バラツキがあったとしても、ダイヤルＡＳＳＹ２を容易に所定位置に配置させることができる。また、仮に、リブ６６により位置調整が行われた後においても、ダイヤルＡＳＳＹ２が所定位置からずれている場合には、加飾透明部材４を成型する型を、加飾透明部材４の外形線４５を少し外側に膨らませ又は内側に凹ませるように修正し、又は、リブ６６を成型する型を、リブ６６の突出量を少し増加させ又は減少させるように修正することで、ダイヤルＡＳＳＹ２の位置ずれを容易に解消できる。
【００６４】
これに対して、ダイヤルＡＳＳＹをケースサブＡＳＳＹの前面上の二次元方向に移動不能に位置決めする構成では、部品の寸法バラツキによりダイヤルＡＳＳＹの位置ずれが発生した場合には、その位置ずれを解消するための調整が困難である。
【００６５】
また、リブ６６の先端６６ａは開口６１側に傾斜した形状となっているので、見返し板６の押し込みに伴い左右２つのダイヤルＡＳＳＹ２の両方を同時且つ自動的に所定位置まで案内できる。これにより、組み付け作業者の、ダイヤルＡＳＳＹ２の位置調整の負担を軽減できる。
【００６６】
また、ダイヤルＡＳＳＹ２の位置補正は、先ず突出部４４及び挿入孔６８による補正が行われるので、その後のリブ６６による補正を確実に行うことができる。
【００６７】
なお、本発明は上記実施形態に限定されるものではなく、特許請求の範囲の記載を逸脱しない限度で種々の変更が可能である。例えば、上記実施形態では、リブ６６は加飾透明部材４の外形線４５に沿って配置された例を説明したが、文字板３の外形線に沿って配置されたとしても良い。この場合、見返し板６の押し込みに伴い、文字板３の外形線がリブに接触することで、ダイヤルＡＳＳＹ２の位置補正が行われる。
【００６８】
また、上記実施形態では、加飾透明部材４を設けた例を説明したが、加飾透明部材４が無い、文字板３のみの構成に本発明を適用しても良い。この場合、リブは、文字板３の外形線に沿って配置される。これによっても、見返し板６の開口６１に対して文字板３の可視領域を容易に所定位置に配置させることができる。
【００６９】
また、上記実施形態では、ダイヤルＡＳＳＹ２側に図１２の突出部４４が形成され、見返し板６側に図１１の挿入孔６８が形成された例を説明したが、見返し板６側に図１２の突出部４４と同様の突出部が形成され、ダイヤルＡＳＳＹ２側に図１１の挿入孔６８と同様の挿入孔が形成されたとしても良い。これによっても同様の効果が得られる。
【００７０】
また、上記実施形態では、２眼式メータに本発明を適用した例を説明したが、２眼以外のメータ（１眼式メータなど）に本発明を適用しても良い。
【符号の説明】
【００７１】
１  メータ
２  ダイヤルＡＳＳＹ
３１  文字板の表示面
３５  文字板の孔
４１  リング部
４３  加飾透明部材のピン
４４  加飾透明部材の突出部
４５  加飾透明部材の外形線
５  ケースサブＡＳＳＹ
５２ａ  ケースサブＡＳＳＹの孔
５２ｂ  ケースサブＡＳＳＹの空洞部
５２ｃ  ケースサブＡＳＳＹのピン
６  見返し板
６１  見返し板の開口
６６  リブ
６８  挿入孔
【図１】
2018112473.tif 000003
【図２】
2018112473.tif 000004
【図３】
2018112473.tif 000005
【図４】
2018112473.tif 000006
【図５】
2018112473.tif 000007
【図６】
2018112473.tif 000008
【図７】
2018112473.tif 000009
【図８】
2018112473.tif 000010
【図９】
2018112473.tif 000011
【図１０】
2018112473.tif 000012
【図１１】
2018112473.tif 000013
【図１２】
2018112473.tif 000014
【図１３】
2018112473.tif 000015
【図１４】
2018112473.tif 000016
【図１５】
2018112473.tif 000017